(57)【要約】【課題】複数の複写機から出力された用紙のフィニッシング処理を容易に行うためのシステム、および自身で出力する用紙と他の複写機で出力した用紙を会わせてフィニッシング処理するシステムを提供する。【解決手段】ネットワークに接続されたデジタル複写機、及びそれに繋がったフィニッシャー、ネットワークに接続されたデジタル複写機やフィニッシャー等の装置を検索する手段、検索された装置を表示する手段、検索された装置の中から複数の装置を選択する手段、予め記憶されている装置の位置情報から装置間の距離を判断する手段、装置選択手段によって装置が選択された時、選択された装置に対して距離が短いと判断した順に、表示時手段に装置を表示する画像形成システム。【選択図】        図１
2004361706.tif 000002
【特許請求の範囲】
【請求項１】
通信媒体に接続され、画像情報の通信、画像形成出力を行う画像形成処理システムにおいて、
画像形成出力を行う複数の画像形成手段と、
前記画像形成手段から出力された用紙を処理する少なくとも１つのシート後処理手段と、
画像形成処理システムに存在する画像形成手段またはシート処理手段等の装置を検索する装置検索手段と、
前記装置検索手段によって検索された装置を表示する装置表示手段と、
前記装置表示手段によって表示された装置の中から、複数の装置を選択する装置選択手段と、
予め記憶されている画像形成処理システムに存在する画像形成手段またはシート処理手段等の位置情報から装置間の距離を判段する装置間距離判段手段を持ち、
前記装置選択手段によって装置が選択された時、前記選択された装置に対して、装置間距離判段手段によって距離が短いと判断した装置順に、前記装置表示手段に並べて表示することを特徴とする画像処理システム。
【請求項２】
前記シート処理手段は、複数の画像形成手段の少なくとも１つに接続されていることを特徴とする、請求項１記載の画像形成処理システム。
【請求項３】
前記装置選択手段によって選択された複数の装置において１つのＪＯＢを連続に処理することを特徴とする、請求項１記載の画像形成処理システム。
【請求項４】
前記画像形成処理システムに存在する画像形成手段またはシート処理手段等の装置に予め記憶されている位置情報はある任意の点を基準とした３次元座標であることを特徴とする、請求項１記載の画像形成処理システム。
【請求項５】
前記装置間距離判段手段は水平方向の座標と高さ方向の座標それぞれに所定量の重み付けを行い、装置間距離を判断することを特徴とする、請求項４記載の画像形成処理システム。
【請求項６】
水平方向の座標と高さ方向の座標それぞれに対するの重み付け値を入力する手段と、前記入力された重み付け値を記憶する手段を持つことを特徴とする、請求項５記載の画像形成処理システム。
【請求項７】
前記装置選択手段によって１つ目の装置が選択された時、前記選択された第一の装置に対して、装置間距離判段手段によって距離が短いと判断した装置順に、前記装置表示手段に並び替えて表示し、前記表示された装置から前記装置選択手段によって２つ目の装置が選択された時、前記選択された第二の装置に対して、装置間距離判段手段は、第一の装置をのぞき、距離が短いと判断した装置順に前記装置表示手段に並び替えて表示することを特徴とする、請求項１記載の画像形成処理システム。
【請求項８】
装置選択手段によって複数の装置を選択することの許可または禁止を設定する、複数装置選択設定手段と、複数装置選択設定手段によって複数装置の選択が許可された場合、装置選択手段によって複数の装置の選択を許可し、また、複数装置選択設定手段によって複数装置の選択が禁止された場合、装置選択手段によって複数の装置の選択することを禁止する複数装置選択許可手段をもつことを特徴とする、請求項１記載の画像形成処理システム。
【請求項９】
前記装置選択手段は、複数の装置によって分散出力したものを、結合させ、最終的に１つのＪＯＢ出力として処理を行う場合、
前記装置表示手段によって表示された装置の中から、分散出力を行う少なくとも１つの装置と、
前記分散出力された１つまたは複数の出力の結合処理を行う、少なくとも１つの装置を、同時に選択する装置選択手段であることを特徴とする請求項１記載の画像形成処理システム。
【発明の詳細な説明】
【０００１】
【発明の属する技術分野】
本発明はネットワークに接続され、コンピュータ等からの画像をプリントし、排紙処理を行うことが可能な画像形成出力システムに関するものである。
【０００２】
【従来の技術】
従来画像形成装置には排紙処理装置が接続されており画像形成装置が出力した用紙を排紙処理（ステイプル、穴開け等）を行うことは周知である。
【０００３】
【特許文献１】
特開２００３−１０７８１７号公報
【０００４】
【発明が解決しようとする課題】
しかしながら上記従来例では他の画像形成装置からの用紙を、接続された画像形成装置が出力する場合と同等の処理を行うことは不可能であった。また接続された画像形成装置からの処理と他の画像形成装置の用紙とをあわせて処理することも不可能であった。
【０００５】
本発明は、以上の点に着目して成されたもので、複数の複写機から出力された用紙のフィニッシング処理を容易に行うためのシステム、および自身で出力する用紙と他の複写機で出力した用紙をあわせてフィニッシング処理する画像処理システムを提供することを目的とする。
【０００６】
【課題を解決するための手段】
上記目的を達成するために、
本発明の請求項１に係る画像形成システムは、通信媒体に接続され、画像情報の通信、画像形成出力を行う画像形成処理システムにおいて、画像形成出力を行う複数の画像形成手段と、前記画像形成手段から出力された用紙を処理する少なくとも１つのシート後処理手段と、画像形成処理システムに存在する画像形成手段またはシート処理手段等の装置を検索する装置検索手段と、前記装置検索手段によって検索された装置を表示する装置表示手段と、前記装置表示手段によって表示された装置の中から、複数の装置を選択する装置選択手段と、予め記憶されている画像形成処理システムに存在する画像形成手段またはシート処理手段等の位置情報から装置間の距離を判段する装置間距離判段手段を持ち、前記装置選択手段によって装置が選択された時、前記選択された装置に対して、装置間距離判段手段によって距離が短いと判断した装置順に、前記装置表示手段に並べて表示することを特徴とする。
【０００７】
本請求項２に記載の画像形成システムは、請求項１に係る画像形成システムにおいて、前記シート処理手段は、複数の画像形成手段の少なくとも１つに接続されていることを特徴とする。
【０００８】
本請求項３に記載の画像形成システムは、請求項１に係る画像形成システムにおいて、前記装置選択手段によって選択された複数の装置において１つのＪＯＢを連続に処理することを特徴とする。
【０００９】
本請求項４に記載の画像形成システムは、請求項１に係る画像形成システムにおいて、前記画像形成処理システムに存在する画像形成手段またはシート処理手段等の装置に予め記憶されている位置情報はある任意の点を基準とした３次元座標であることを特徴とする。
【００１０】
本請求項５に記載の画像形成システムは、請求項４に係る画像形成システムにおいて、前記装置間距離判段手段は水平方向の座標と高さ方向の座標それぞれに所定量の重み付けを行い、装置間距離を判断することを特徴とする。
【００１１】
本請求項６に記載の画像形成システムは、請求項５に係る画像形成システムにおいて、水平方向の座標と高さ方向の座標それぞれに対するの重み付け値を入力する手段と、前記入力された重み付け値を記憶する手段を持つことを特徴とする。
【００１２】
本請求項７に記載の画像形成システムは、請求項１に係る画像形成システムにおいて、前記装置選択手段によって１つ目の装置が選択された時、前記選択された第一の装置に対して、装置間距離判段手段によって距離が短いと判断した装置順に、前記装置表示手段に並び替えて表示し、前記表示された装置から前記装置選択手段によって２つ目の装置が選択された時、前記選択された第二の装置に対して、装置間距離判段手段は、第一の装置をのぞき、距離が短いと判断した装置順に前記装置表示手段に並び替えて表示することを特徴とする。
【００１３】
本請求項８に記載の画像形成システムは、請求項１に係る画像形成システムにおいて、装置選択手段によって複数の装置を選択することの許可または禁止を設定する、複数装置選択設定手段と、複数装置選択設定手段によって複数装置の選択が許可された場合、装置選択手段によって複数の装置の選択を許可し、また、複数装置選択設定手段によって複数装置の選択が禁止された場合、装置選択手段によって複数の装置の選択することを禁止する複数装置選択許可手段をもつことを特徴とする。
【００１４】
本請求項９に記載の画像形成システムは、請求項１に係る画像形成システムにおいて、前記装置選択手段は、複数の装置によって分散出力したものを、結合させ、最終的に１つのＪＯＢ出力として処理を行う場合、前記装置表示手段によって表示された装置の中から、分散出力を行う少なくとも１つの装置と、前記分散出力された１つまたは複数の出力の結合処理を行う、少なくとも１つの装置を、同時に選択する装置選択手段であることを特徴とする。
【００１５】
【発明の実施の形態】
（第１の実施例）
［装置全体の概要説明］
図１に、本発明の実施形における装置全体の概観図を示す。
【００１６】
ネットワーク１０１に接続されたコンピュータ１０２，１０３は、それぞれサーバとクライアントの役割を果たしており、実際には、クライアント１０３は複数台あり、図１では１０３ａ，１０３ｂで示してあるが、以後代表して１０３とのみ表記する。
【００１７】
一方では、ＭＦＰ（Ｍｕｌｔｉ  Ｆｕｎｃｔｉｏｎ  Ｐｅｒｉｐｈｅｒａｌ）と呼ばれる多目的なネットワーク機器１０４，１０５，１０６がネットワーク１０１に接続されており、１０４はフルカラーでスキャン、プリントなどが可能なカラーＭＦＰであり、１０５，１０６はモノクロでスキャン、プリントなどを行う白黒ＭＦＰである。
【００１８】
他方では、ネットワーク１０１に単一機能で動作するネットワーク機器も接続されており、単機能プリンタ１０７などが存在するが、動作的には前述のＭＦＰとほとんど等価であるため、以後これらのデバイスもまとめてＭＦＰにて表記する。
【００１９】
１０８はネットワークに接続されたデータ格納のためのメモリ装置であり、ネットワーク１０１を経由して送られてきた各種データを一時的に保存／格納することができる。
【００２０】
更に、このネットワーク１０１上には図示していないが、クライアントや各種サーバ及び、上記以外のＭＦＰを初め、スキャナ、プリンタあるいは、ＦＡＸなどその他の機器も接続されている。
【００２１】
ここでコンピュータ１０２（または、１０３）上では、いわゆるＤＴＰ（Ｄｅｓｋ  Ｔｏｐ  Ｐｕｂｌｉｓｈｉｎｇ）のアプリケーションソフトウェアを動作させ、各種文書／図形が作成／編集される。コンピュータ１０２（または、１０３）は作成された文書／図形をＰＤＬ言語（Ｐａｇｅ  ＤｅｓｃｒｉｐｔｉｏｎＬａｎｇｕａｇｅ＝ページ記述言語）に変換し、コンピュータ１０２（または、１０３）上からプリンタドライバと呼ばれる起動ソフトウェアによって指示することにより、ネットワーク１０１を経由してＭＦＰ１０４，１０５，１０６に送られて出力される。
【００２２】
また、ＭＦＰ１０４，１０５のスキャナ部に置かれた原稿は、コンピュータ１０２（または、１０３）上からスキャナドライバと呼ばれる起動ソフトウェアによって指示することにより、ネットワーク１０１へ画像データとして送られ、メモリ装置１０８に保存されたり、コンピュータ１０２（または、１０３）のディスプレイに表示したり、ＭＦＰ１０４，１０５，１０６に送られて出力されることが可能である。
【００２３】
次に、ＭＦＰ１０４，１０５，１０６はそれぞれ、コンピュータ１０２（または、１０３）側とネットワーク１０１を介して情報交換できる通信手段を有しており、ＭＦＰ１０４，１０５の設定情報や装置状態がコンピュータ１０２（または、１０３）側に逐次知らせる仕組みとなっている。更に、コンピュータ１０２（または、１０３）側では、その情報を受けて動作するユーティリティソフトウェアを持っており、ＭＦＰなどのデバイスは、このコンピュータ１０２（または、１０３）の元で一元管理されている。
【００２４】
［ＭＦＰ１０４，１０５の構成］
次に、図２〜図１２を用いてＭＦＰ１０４，１０５、１０６の構成について説明する。
【００２５】
但し、ＭＦＰ１０４とＭＦＰ１０５の差はフルカラーとモノクロの差であり、色処理以外の部分ではフルカラー機器がモノクロ機器の構成を包含することが多いため、ここではフルカラー機器に絞って説明し、必要に応じて、随時モノクロ部分の説明を加えることとする。
【００２６】
またＭＦＰ１０６はプリンタ／スキャナとフィニッシャーで構成されている。通常は、例えばネットワークユーティリティソフトウェアなどからは一体型の装置に見えている。本実施例のフィニッシャー１０９はフィニッシャーにもネットワークに接続する手段を有している。そして通常動作と単独動作を切り替えることによってネットワークユーティリティソフトウェアからもネットワーク上のひとつのデバイスとして管理、制御等が行えるようになる。それ以外プリンタやスキャナとしてはＭＦＰ１０５と同じである。
【００２７】
図２は全体のブロック図で、２０１は画像読み取りを行うスキャナ部で、２０２はその画像データを画像処理するＲＧＢ−ＩＰ部、２０３はファクシミリなどに代表される電話回線を利用した画像の送受信を行うＦＡＸ部、更に、２０４はネットワークを利用して画像データや装置情報をやりとりするＮＩＣ（Ｎｅｔｗｏｒｋ  Ｉｎｔｅｒｆａｃｅ  Ｃａｒｄ）部分、２０５はコンピュータ側から送られてきたページ記述言語（ＰＤＬ）を画像信号に展開するＰＤＬ部、２１２は通常スルーであるが、アドオン情報の付加と解除を行う際には有効になる。そして、ＭＦＰ１０４，１０５の使い方に応じてコア部２０６で画像信号を一時保存したり、経路を決定する。
【００２８】
次に、コア部２０６から出力された画像データは、ＣＭＹＫ−ＩＰ部２０７を経由して、ＰＷＭ部２０８に送られた後、画像形成を行うプリンタ部２０９に送られ、用紙の出力仕上げの処理を行うフィニッシャー部２１０によりプリントアウトされる。
【００２９】
また、ディスプレイ部２１１は、画像をプリントせずに済ませたり、プリント状態の是非を判断するためのプレビュー機能として作動する。
【００３０】
［スキャナ部２０１の構成］
図３を用いてスキャナ部２０１の構成を説明する。
【００３１】
先ず、複写機としての原稿の複写において、３０１は、原稿台ガラスであり、読み取られるべき原稿３０２が置かれる。原稿３０２は、照明３０３により照射され、ミラー３０４、３０５、３０６を経て、光学系３０７により、ＣＣＤ３０８上に像が結ばれる。更に、モータ３０９により、ミラー３０４、照明３０３を含む第１ミラーユニット３１０は、速度ｖで機械的に駆動され、ミラー３０５、３０６を含む第２ミラーユニット３１１は、速度１／２ｖで駆動され、原稿３０２の全面が走査される。
【００３２】
［ＲＧＢ−ＩＰ部２０２の構成］
図４を用いて画像処理部２０２について説明する。
【００３３】
入力された光学的信号は、ＣＣＤセンサ３０８により電気信号に変換される。このＣＣＤセンサ３０８はＲＧＢ３ラインのカラーセンサであり、ＲＧＢそれぞれの画像信号としてＡ／Ｄ変換部４０１に入力される。ここでゲイン調整、オフセット調整をされた後、Ａ／Ｄコンバータで、各色信号毎に８ｂｉｔのデジタル画像信号Ｒ０，Ｇ０，Ｂ０に変換される。その後、４０２のシェーディング補正で色ごとに、基準白色板の読み取り信号を用いた、公知のシェーディング補正が施される。更に、ＣＣＤセンサ３０８の各色ラインセンサは、相互に所定の距離を隔てて配置されているため、ラインディレイ調整回路４０３において、副走査方向の空間的ずれが補正される。
【００３４】
次に、入力マスキング部４０４は、ＣＣＤセンサ３０８のＲ，Ｇ，Ｂフィルタの分光特性で決まる読取色空間を、ＮＴＳＣの標準色空間に変換する部分であり、ＣＣＤセンサ３０８の感度特性／照明ランプのスペクトル特性等の諸特性を考慮した装置固有の定数を用いた３×３のマトリックス演算を行い、入力された（Ｒ０，Ｇ０，Ｂ０）信号を標準的な（Ｒ，Ｇ，Ｂ）信号に変換する。
【００３５】
更に、輝度／濃度変換部（ＬＯＧ変換部）４０５はルックアップテーブル（ＬＵＴ）ＲＡＭにより、構成され、ＲＧＢの輝度信号がＣ１，Ｍ１，Ｙ１の濃度信号になるように変換される。
【００３６】
ＭＦＰ１０５によりモノクロの画像処理を行う場合には、単色の１ラインセンサを用いて、単色でＡ／Ｄ変換、シェーディングを行ったのち、入出力マスキング、ガンマ変換、空間フィルタの順で処理しても構わない。
【００３７】
［ＦＡＸ部２０３の構成］
図５を用いてＦＡＸ部２０３について説明する。
【００３８】
まず、受信時には、電話回線から来たデータをＮＣＵ部５０１で受け取り電圧の変換を行い、モデム部５０２の中の復調部５０４でＡ／Ｄ変換及び復調操作を行った後、伸張部５０６でラスタデータに展開する。一般にＦＡＸでの圧縮伸張にはランレングス法などが用いられるが、公知であるためここではその説明を割愛する。ラスタデータに変換された画像は、メモリ部５０７に一時保管され、画像データに転送エラーがないことを確認後、コア部２０６へ送られる。
【００３９】
次に、送信時は、コア部よりやってきたラスタイメージの画像信号に対して、圧縮部５０５でランレングス法などの圧縮を施し、モデム部５０２内の変調部５０３にてＤ／Ａ変換及び変調操作を行った後、ＮＣＵ部５０１を介して電話回線へと送られる。
【００４０】
［ＮＩＣ部２０４の構成］
図６を用いてＮＩＣ部２０４について説明する。
【００４１】
ネットワーク１０１に対してのインターフェイスの機能を持つのが、このＮＩＣ部２０４であり、例えば１０Ｂａｓｅ−Ｔ／１００Ｂａｓｅ−ＴＸなどのＥｔｈｅｒｎｅｔ（Ｒ）ケーブルなどを利用して外部からの情報を入手したり、外部へ情報を流す役割を果たす。
【００４２】
外部より情報を入手する場合は、まず、トランス部６０１で電圧変換され、６０２のＬＡＮコントローラ部に送られる。ＬＡＮコントローラ部６０２は、その内部にバッファメモリ１（不図示）を持っており、その情報が必要な情報か否かを判断した上で、バッファメモリ２（不図示）に送った後、ＰＤＬ部２０５に信号を流す。
【００４３】
次に、外部に情報を提供する場合には、ＰＤＬ部２０５より送られてきたデータは、ＬＡＮコントローラ部６０２で必要な情報を付加して、トランス部６０１を経由してネットワークに接続される。
【００４４】
［ＰＤＬ部２０５の構成］
次に、同図６を用いてＰＤＬ部２０５の説明をする。
【００４５】
コンピュータ上で動作するアプリケーションソフトウェアによって作成された画像データは、文書、図形、写真などから構成されており、それぞれは、文字コード、図形コード及び、ラスタ画像データなどによる画像記述の要素の組み合わせから成っている。
【００４６】
これが、いわゆるＰＤＬ（Ｐａｇｅ  Ｄｅｓｃｒｉｐｔｉｏｎ  Ｌａｎｇｕａｇｅ＝ページ記述言語）であり、Ａｄｏｂｅ社のＰｏｓｔＳｃｒｉｐｔ（登録商標）言語に代表されるものである。
【００４７】
さて、図６は、上記ＰＤＬデータからラスタ画像データへの変換処理を表わす部分であり、ＮＩＣ部２０４から送られてきたＰＤＬデータは、ＣＰＵ部６０３を経由して一度ハードディスク（ＨＤＤ）のような大容量メモリ６０４に格納され、ここで各ジョブ毎に管理、保存される。
【００４８】
次に、必要に応じて、ＣＰＵ部６０３は、ＲＩＰ（Ｒａｓｔｅｒ  ＩｍａｇｅＰｒｏｃｅｓｓｉｎｇ）と呼ばれるラスタ化画像処理を行って、ＰＤＬデータをラスタイメージに展開する。展開されたラスタイメージデータは、ＣＭＹＫの色成分毎にＤＲＡＭなどの高速アクセス可能なメモリ６０５にジョブ毎にページ単位で格納され、プリンタ部２０９の状況に合わせて、再びＣＰＵ部６０３を介して、コア部２０６へ送られる。
【００４９】
［コア部２０６の構成］
図７を用いてコア部２０６について説明する。
【００５０】
コア部２０６のバスセレクタ部７０１は、ＭＦＰ１０４，１０５の利用における、言わば交通整理の役割を担っている。すなわち、スタンドアローンとしての複写機能、ネットワークスキャン、ネットワークプリント、ファクシミリ送信／受信、あるいは、ディスプレイ表示などＭＦＰ１０４，１０５における各種機能に応じてバスの切り替えを行うところである。
【００５１】
細かく説明するならば、そのフローは、以下のような機能が考えられる。
・スタンドアローン複写機：スキャナ部２０１→コア部２０６→プリンタ部２０９
・ネットワークスキャン：スキャナ部２０１→コア部２０６→ＮＩＣ部２０４
・ネットワークプリント：ＮＩＣ部２０４→コア部２０６→プリンタ部２０９
・ファクシミリ送信機能：スキャナ部２０１→コア部２０６→ＦＡＸ部２０３
・ファクシミリ受信機能：ＦＡＸ部２０３→コア部２０６→プリンタ部２０９
・ディスプレイ表示機能：スキャナ部２０１→コア部２０６→ディスプレイ２１１
但し、ディスプレイ表示機能の入力元はＦＡＸ部２０３やＮＩＣ部２０４でも構わない。
【００５２】
次に、バスセレクタ部７０１を出た画像データは、圧縮部７０２、ハードディスク（ＨＤＤ）などの大容量メモリからなるメモリ部７０３及び、伸張部７０４を通ってプリンタ部２０９または、ディスプレイ部２１１へ送られる。
【００５３】
ここで用いられる圧縮方式は、ＪＰＥＧ，ＪＢＩＧ，ＺＩＰなど一般的なものを用いればよい。
【００５４】
次に、圧縮された画像データは、ジョブ毎に管理され、ファイル名、作成者、作成日時、ファイルサイズなどの付加データと一緒に格納される。
【００５５】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない親展機能である。
【００５６】
格納されているそれぞれのジョブに対しては、ジョブを指定して呼び出しが行われた場合には、パスワードの認証を行った後、ＨＤＤより呼び出し、画像伸張を行ってラスタイメージに戻してプリンタ部２０９に送られる。
【００５７】
［ＣＭＹＫ−ＩＰ部２０７の構成］
図７によりＣＭＹＫ−ＩＰ部２０７を説明する。
【００５８】
コア部２０６より渡されたデータは、出力マスキング／ＵＣＲ回路部７０６に入り、前述のＲＧＢ−ＩＰ部２０２にて説明したＬＯＧ変換（４０５）後のＣ１，Ｍ１，Ｙ１信号を画像形成装置のトナー色であるＹ，Ｍ，Ｃ，Ｋ信号にマトリクス演算を用いて変換する部分であり、ＣＣＤセンサ３０８で読み込まれたＲＧＢ信号に基づいたＣ１，Ｍ１，Ｙ１，Ｋ１信号をトナーの分光分布特性に基づいたＣ，Ｍ，Ｙ，Ｋ信号に補正して出力する。
【００５９】
次に、ガンマ変換部７０７にて、トナーの色味諸特性を考慮したルックアップテーブル（ＬＵＴ）ＲＡＭを使って画像出力のためのＣ，Ｍ，Ｙ，Ｋデータに変換されて、空間フィルタ７０８では、シャープネスまたは、スムージングが施された後、画像信号はＰＷＭ部２０８へと送られる。画像が白黒かカラーかの判定はＣ，Ｍ，Ｙ，Ｋ信号のバランスによって判定される。
【００６０】
［ＰＷＭ部２０８の構成］
図８―１によりＰＷＭ部２０８を説明する。
【００６１】
ＣＭＹＫ−ＩＰ部２０７を出たイエロー（Ｙ）、マゼンタ（Ｍ）、シアン（Ｃ）、ブラック（Ｋ）の４色に色分解された画像データはそれぞれのＰＷＭ部２０８を通ってそれぞれ画像形成される（ＭＦＰ１０５の場合は、単色となる。）。
【００６２】
図８において、８０１は三角波発生部、８０２はＤ／Ａコンバータであり、入力されるデジタル画像信号をアナログ信号に変換する部分である。これらの２つの信号は、図８−２ａのようにコンパレータ８０３に送られ大小比較されて、図８−２ｂのような信号となってレーザ駆動部８０４に送られ、ＣＭＹＫそれぞれが、ＣＭＹＫそれぞれのレーザ８０５でレーザビームに変換される。
【００６３】
そして、ポリゴンスキャナ９１３で、それぞれのレーザビームを走査して、それぞれの感光ドラム９１７，９２１，９２５，９２９に照射される。
【００６４】
［プリンタ部２０９の構成（カラーＭＦＰ１０４の場合）］
図９に、カラープリンタ部の概観図を示す。
【００６５】
９１３は、ポリゴンミラーであり、４つの半導体レーザ８０５より発光された４本のレーザ光を受ける。その内の１本はミラー９１４、９１５、９１６をへて感光ドラム９１７を走査し、次の１本はミラー９１８、９１９、９２０をへて感光ドラム９２１を走査し、次の１本はミラー９２２、９２３、９２４をへて感光ドラム９２５を走査し、次の１本はミラー９２６、９２７、９２８をへて感光ドラム９２９を走査する。
【００６６】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にマゼンタのトナー像を形成する。以上４色（Ｙ，Ｍ，Ｃ，Ｋ）のトナー像が用紙に転写され、フルカラーの出力画像を得ることができる。
【００６７】
用紙カセット９３４、９３５および、手差しトレイ９３６のいずれかより給紙された用紙は、レジストローラ９３７を経て、転写ベルト９３８上に吸着され、搬送される。給紙のタイミングと同期がとられて、予め感光ドラム９１７、９２１、９２５、９２９には各色のトナーが現像されており、用紙の搬送とともに、トナーが用紙に転写される。
【００６８】
各色のトナーが転写された用紙は、分離され、搬送ベルト９３９により搬送され、定着器９４０によって、トナーが用紙に定着され排出される。
【００６９】
なお、４つの感光ドラム９１７、９２１、９２５、９２９は、距離ｄをおいて、等間隔に配置されており、搬送ベルト９３９により、用紙は一定速度ｖで搬送されており、このタイミング同期がなされて、４つの半導体レーザ８０５は駆動される。
【００７０】
［プリンタ部２０９の構成（モノクロＭＦＰ１０５の場合）］
図１０に、モノクロプリンタ部の概観図を示す。
【００７１】
１０１３は、ポリゴンミラーであり、半導体レーザ８０５より発光されたレーザ光を受ける。レーザ光はミラー１０１４、１０１５、１０１６をへて感光ドラム１０１７を走査する。一方、１０３０は黒色のトナーを供給する現像器であり、レーザ光に従い、感光ドラム１０１７上にトナー像を形成し、トナー像が用紙に転写され、出力画像を得ることができる。
【００７２】
用紙カセット１０３４、１０３５および、手差しトレイ１０３６のいずれかより給紙された用紙は、レジストローラ１０３７を経て、転写ベルト１０３８上に吸着され、搬送される。給紙のタイミングと同期がとられて、予め感光ドラム１０１７にはトナーが現像されており、用紙の搬送とともに、トナーが用紙に転写される。
【００７３】
トナーが転写された用紙は、分離され、定着器１０４０によって、トナーが用紙に定着され、カラー画像同様に排出される。
【００７４】
［ディスプレイ部２１１の構成］
図１１に、ディスプレイ部２１１を示す。
【００７５】
コア部２０６より出された画像データは、ＣＭＹデータであるため、逆ＬＯＧ変換部１１０１でＲＧＢデータに変換する必要がある。次に、出力されるＣＲＴなどのディスプレイ装置１１０４，１０５の色の特性に合わせるためにガンマ変換部１１０２でルックアップテーブルを使用して出力変換を行う。変換された画像データは、一度メモリ部１１０３に格納されて、ＣＲＴなどのディスプレイ装置１１０４によって表示される。
【００７６】
ここで、ディスプレイ部２１０を使用するのは、出力画像を予め確認するプレビュー機能や、出力する画像が意図したものと間違いないか検証するプルーフ機能、あるいは、プリントの必要がない画像を確認する場合にプリント用紙の無駄を省くためである。
【００７７】
［フィニッシャー部２１０の構成］
図１２に、フィニッシャー部の概観図を示す。
【００７８】
プリンタ部２０９の定着部９４０（または、１０４０）を出た用紙は、フィニッシャー部２１０に入る。
【００７９】
フィニッシャー部２１０には、サンプルトレイ１００１及びスタックトレイ１００２があり、ジョブの種類や排出される用紙の枚数に応じて切り替えて排出される。
【００８０】
トレイを奥手前方向にシフトしてジョブ毎に出力用紙を振り分けるシフトソート方式によりソーティングを行うことができる。
【００８１】
電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。
【００８２】
またグループ機能は、ソーティングがジョブ毎に振り分けるのに対し、ページ毎に種別する機能である。
【００８３】
更に、スタックトレイ１００２に排出する場合には、用紙が排出される前の用紙をジョブ毎に蓄えておき、排出する直前にステープラ１００５にてバインドすることも可能である。
【００８４】
そのほか、上記２つのトレイに至るまでに、紙をＺ字状に折るためのＺ折り機１００４、ファイル用の２つ（または３つ）の穴開けを行うパンチャー１００６があり、ジョブの種類に応じてそれぞれの処理を行う。また、インサータトレイ１００３ａ，ｃは、中差し機能を行うための用紙を置いたり、あるいは他のプリンタから出力された用紙を置くことでフィニッシング処理を行うことができる。インサータトレイ１００３ａ，ｃの用紙はいったんトレイ１００３ｂ，ｄに移動させる。その際にコンタクト型ＣＣＤセンサ１００９にて後述する様々な処理のために用紙の画像を読み込む。
【００８５】
更に、サドルステッチャ１００７は、ブックレット形式に紙を二つ折りにし、その真ん中をバインドするために使用する。この場合には、ブックレットトレイ１００８に排出される。
【００８６】
そのほか、図には記載されていないが、製本のためのグルー（糊付け）によるバインドや、あるいはバインド後にバインド側と反対側の端面を揃えるためのトリマーなどを加えることも可能である。
【００８７】
本実施例のフィニッシャーにはここでは図示しない操作部１０１０がついており、インサータ１００３ａ，ｃにセットされた用紙を排紙処理するための設定やフィニッシャー単体動作時のＩＰアドレスなどの設定を行うことができる。
【００８８】
［ネットワーク１０１］
さて次に、ネットワーク１０１について説明する。
【００８９】
ネットワーク１０１は図１３に示すように、前述の図１のような構成がルータと呼ばれるネットワークを相互に接続する装置により接続され、ＬＡＮ（Ｌｏｃａｌ  Ａｒｅａ  Ｎｅｔｗｏｒｋ）と呼ばれる更なるネットワークを構成する。
【００９０】
また、ＬＡＮ１３０６は、内部のルータ１３０１を介して、専用回線１３０８を通して、別のＬＡＮ１３０７内部のルータ１３０５に接続され、これらのネットワーク網は幾重にも張り巡らされて、広大な接続形態を構築している。
【００９１】
次に、その中を流れるデータについて図１４にて説明する。
【００９２】
送信元のデバイスＡ（１４００ａ）に存在するデータ１４０１があり、そのデータは画像データでも、ＰＤＬデータでも、プログラムであっても構わない。これをネットワーク１０１を介して受信先のデバイスＢ（１４００ｂ）に転送する場合、データ１４０１を細分化しイメージ的に１４０２のように分割する。この分割されたデータ１４０３，１４０４，１４０６などに対して、ヘッダ１４０５と呼ばれる送り先アドレス（ＴＣＰ／ＩＰプロトコルを利用した場合には、送り先のＩＰアドレス）などを付加し、パケット１４０７として順次ネットワーク１０１上にパケットを送って行く。デバイスＢのアドレスとパケット１４１０のヘッダ１４１１が一致するとデータ１４１２は分離され、デバイスＡにあったデータの状態に再生される。
【００９３】
［プリンタドライバ］
次に図１５を用いて、コンピュータ１０２（または、１０３）からプリンタドライバにより画像データをプリンタに送信する行程について説明する。プリンタドライバは、プリント動作を指示するためのＧＵＩであり、これで指示することによりユーザーは所望の設定パラメータを指示して、所望の画像イメージをプリンタなどの送信先に送る事が可能となる。
【００９４】
ここで１６０１はプリンタドライバのウィンドウであり、その中の設定項目として、１６０２はターゲットとなる出力先を選択する送信先選択カラムである。一般的には前述のＭＦＰ１０４，１０５あるいは、プリンタ１０７のようなものであるが、保存の目的でメモリ１０８に画像を転送しても構わない。１６０３はジョブの中から出力ページを選択するページ設定カラムであり、コンピュータ１０２（または、１０３）上で動作するアプリケーションソフトで作成された画像イメージのどのページを出力するかを決定する。１６０４は部数を指定する部数設定カラム。また、１６０７は送信先選択カラム１６０２にて選択された送信先デバイスに関する詳細設定を行うためのプロパティキーであり、ここをクリックすると別画面にてそのデバイス固有の設定情報を入力し、特殊な画像処理、例えば、ＣＭＹＫ−ＩＰ部２０７内のガンマ変換部７０７や空間フィルタ部７０８のパラメータを変更することにより、より細かい色再現やシャープネス調整を行うことが可能となる。
【００９５】
１６０８はフィニッシングの設定である。この設定は選択されたプリンタに応じて設定項目が異なってくる。
【００９６】
送信先選択カラム１６０２の右をクリックすると印刷可能なプリンタ、ＭＦＰなどの一覧が表示されるが、そのためにはネットワーク上のプリンタを検索する必要がある。
【００９７】
ネットワーク上のＭＦＰやプリンタを検索する場合にはディレクトリサービスと呼ばれるものを利用する。ディレクトリサービスとは、言わばネットワークに関する電話帳であり、様々な情報を格納するためのものである。上記ディレクトリサービスを用いたディレクトリシステムの具体例としては、例えばＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）がある。
【００９８】
上記ＬＤＡＰの規定は、ＩＥＴＦ（Ｉｎｔｅｒｎｅｔ  Ｅｎｇｉｎｅｅｒｉｎｇ  Ｔａｓｋ  Ｆｏｅｃｅ）が発行している標準仕様であるＲＦＣ（Ｒｅｑｕｅｓｔ  Ｆｏｒ  Ｃｏｍｍｅｔｓ）１７７７に記載されている。
【００９９】
ディレクトリサービスを用いて、ネットワークに接続されている装置を検索することにより、ネットワーク上で利用可能な装置のネットワークアドレスの一覧を得ることができる。ネットワーク１０１上のコンピュータ１０２はＬＤＡＰサーバとして機能し、ネットワーク上の装置に関する情報をすべて保管している。コンピュータは自分で検索しにいかずＬＤＡＰサーバに問い合わせることで所望の装置を検索することが可能となる。
【０１００】
装置の装備情報や状態などの情報にあわせて装置の位置情報を登録することによってコンピュータに近い装置、あるいは所望のプリンタにもっとも近くで所望の機能を持つプリンタなどといった検索も可能である。
【０１０１】
位置情報は例えば基準点からの距離をＸＹ方向で定義し、かつフロアの情報などをＺ方向として定義する。
【０１０２】
図３４を用いて一例を説明すると、この場合１階の任意の位置を基準と設定する（以下基準点）。
【０１０３】
ＭＦＰ１０４はＸ方向４（４本目の柱というような距離でもよいし４０ｍという距離単位でも良い）、Ｙ方向３、フロアは２階なのでＺ方向２となり（４，３，２）となる。
【０１０４】
同様にＭＦＰ１０５は（１，１，２）、ＭＦＰ１０６は（２，３，２）、単機能プリンタ１０７は（６，３，３）となる。
【０１０５】
フロアの重み付けを行う時は、Ｚ方向に所定の係数をかけて計算すれば、同一フロアを優先することもできる。ここではＺ方向の係数を１０とすると、ＭＦＰ１０４（４，３，２０）、ＭＦＰ１０５（１，１，２０）、ＭＦＰ１０６（２，３，２０）、単機能プリンタ１０７（６，３，３０）となる。
【０１０６】
２つの装置  装置Ａ（ｘ１、ｙ１、ｚ１）と装置Ｂ（ｘ２、ｙ２、ｚ２）の距離Ｌは、
Ｌ＝｜ｘ１−ｘ２｜＋｜ｙ１−ｙ２｜＋｜ｚ１−ｚ２｜で求めることができる。
【０１０７】
ここではＺ方向の係数１０としたが、例えば、ある場所は階段やエレベータに近いので係数を３とすることによって、その建物の構造にフレキシブルに対応することが可能である。
【０１０８】
ドライバはＬＤＡＰサーバに問い合わせることで送信先選択カラム１６０２にプリンタの一覧を表示させることが可能となる。
【０１０９】
従来のプリンタドライバは２つのプリンタを同時に選択することは不可能であったが、本実施例では次のプリンタを選択するためのキー１６０９を設けた。
【０１１０】
このキーを押下することでさらなるプリンタ選択カラム１６０９が表示され第二のプリンタあるいはフィニッシャーなどが選択可能となる。
【０１１１】
また他のプリンタを選択する際、ｐｒｏｐｅｒｔｙキー１６０７を押下して他の設定画面にいき、プリンタの選択の順番を変更することができる。
【０１１２】
通常プリントドライバーのプリンタ選択カラム１６０９の右端をマウスでクリックすると選択可能なプリンタが一覧表示される。その際に図２６に示すごとく、様々な条件により一覧表示の一番上に出てくるプリンタを変更することができる。
【０１１３】
図２６において、プリンタの一覧表示条件を、プリンタ１に近い順が選択されていてかつ、送信先選択カラム１６０２によって、ＭＦＰ１０４が選択され、次のプリンタを選択するためのキー１６０９をオンにし、１６０９の右端をマウスでクリックすると選択可能なプリンタが一覧表示される。その表示順は、ＭＦＰ１０４からの距離を計算した結果、距離の短い順にＭＦＰ１０６→ＭＦＰ１０５→単機能プリンタ１０７の順に表示される。
【０１１４】
それによって最初に選択したＭＦＰのもっとも近くにあるＭＦＰという条件で選択することなどが容易に行えるようなる。
【０１１５】
また２台を選択した際に組み合わせの順番では処理ができない場合、例えばステイプルしてからパンチなどはできないのでその場合には警告表示を行う。
【０１１６】
所望の設定が済めば、ＯＫキー１６０５により印刷を開始する。取り消す場合には、キャンセルキー１６０６により印刷を取りやめる。
【０１１７】
［ネットワークユーティリティソフトウェアの説明］
コンピュータ１０２（または、１０３）上にて動作するユーティリティソフトウェアについて説明する。
【０１１８】
ＭＦＰ１０４，１０５，１０６やフィニッシャー１０９内のネットワークインターフェース部分にはＭＩＢ（Ｍａｎａｇｅｍｅｎｔ  ＩｎｆｏｒｍａｔｉｏｎＢａｓｅ）と呼ばれる標準化されたデータベースが構築されており、ＳＮＭＰ（Ｓｉｍｐｌｅ  Ｎｅｔｗｏｒｋ  Ｍａｎａｇｅｍｅｎｔ  Ｐｒｏｔｏｃｏｌ）というネットワーク管理プロトコルを介してネットワーク上のコンピュータと通信し、ＭＦＰ１０４，１０５をはじめとして、ネットワーク上につながれたスキャナ、プリンタあるいは、ＦＡＸなどの管理が可能になっている。
【０１１９】
一方、コンピュータ１０２（または、１０３）には、ＭＩＢを用いたソフトウェアプログラムが動作しており、ネットワークを介して、上記ＳＮＭＰの利用によりＭＩＢを使って必要な情報交換が可能となる。
【０１２０】
ＲＦＣ１２１３で定義されたｉｆＰｈｙｓＡｄｄｒｅｓｓやｓｙｓＯｂｊｅｃｔＩＤ  またＲＦＣ１５１４で定義されたｈｒＤｅｖｉｃｅＩＤなどのＭＩＢ情報を取得することで装置を特定する情報を得ることができる。プライベートＭＩＢとして装置の装備情報や能力などが定義されており、装備情報としてフィニッシャーが接続されているか否かを検知することなどが可能である。
【０１２１】
またネットワーク上の装置どうしでもＭＩＢ情報を取得することで相互に通信を行い相手の装置の状態、能力などの情報を取得することが可能である。
【０１２２】
コンピュータ１０２はネットワーク上の装置と定期的に通信し、あるいは各装置からの発信によって各装置の機能、状態等を常に把握している。各装置から収集したＭＩＢデータをもとにＷＥＢサーバが構築されているためコンピュータ１０３はＨＴＴＰによる周知のブラウジングソフトウェアによってコンピュータ１０２にアクセスしても各装置の状態を把握することが可能である。
【０１２３】
プリントＪＯＢを一端すべてコンピュータ１０２に投げて、その後にコンピュータ１０２から各プリンタにＪＯＢを投入し、そのＪＯＢのユーザー名、所属部門、ファイル名、ページ数、ＪＯＢ内容などを解析し、ユーザー単位や部門単位での印刷回数やトータルページ数などを記憶しておく。また各装置のプリント数やエラーなどの回数、現在の紙やトナーの残量なども集計することでネットワーク上の装置やＪＯＢなどの管理運営を行うことが可能である。
【０１２４】
更にコンピュータ１０２では印刷プロトコルの変換も行っている。例えばＭＦＰ１０５がＬＰＤしかサポートしていないのにコンピュータ１０３からＩＰＰ（Ｉｎｔｅｒｎｅｔ  Ｐｒｉｎｔｉｎｇ  Ｐｒｏｔｏｃｏｌ）でプリントを行おうとすると、コンピュータ１０２は自動的にＬＰＲに変換してＭＦＰ１０５にＪＯＢを投げることが可能である。
【０１２５】
またプリントしたデータはメモリ１０８に蓄積させメモリ残量や日付などのパラメータによってサーバが自動的に消去を行う。
【０１２６】
［ＧＵＩの説明］
次に、ＧＵＩ（Ｇｒａｐｈｉｃ  Ｕｓｅｒ  Ｉｎｔｅｒｆａｃｅ）と呼ばれるコンピュータ１０２（または、１０３）上で動作するユーティリティソフトウェアの画面について図１６、１７を使って説明する。
【０１２７】
コンピュータ１０２（または、１０３）上でユーティリティソフトウェアを起動させると、図１６のような画面が表示される。ここで１７０１は状態ページを開くための状態タブ、１７０２はプリンタの内部のプリントＪＯＢを操作するためのページを開くためのＪＯＢタブ、１７０３は装置の装備その他を確認するページを開くための情報タブ、１７０４はネットワーク設定を行うページを開くためのネットワークタブと呼んでいる。
【０１２８】
図１６では状態ページが表示されている。１７０５は装置の外観画像であり、フィニッシャーやデッキなど装備情報に応じた画像が表示される。その右側には給紙段の情報で各カセットに入っている紙の情報が表示されている。１７０６は装置の動作状態を表示しており、動作状況に応じて変化する。
【０１２９】
図１７は情報ページを表示させたもので、フィニッシャーの有無やフィニッシャーのオプションの有無などが確認できるようになっている。
【０１３０】
［アドオンについて］
さて、ここで図１８に基づいてアドオンするコマンドの付加について説明する。
【０１３１】
原画像１８０１は、コンピュータ１０２（または、１０３）上のアプリケーションソフトで作られた画像データであるが、これにコマンド画像を与えることについて説明する。
【０１３２】
アドオン情報は、例えば１８０２のようなある画像パターンであり、これはコンピュータ上で作成された画像データを本実施例の装置に転送する際に前述のプリントドライバーが作成した排紙処理を行うための情報で、ステイプル、パンチ、インサートなどの動作指示やページ数などをフィニッシャーのセンサ１００９で読み込ませたあとフィニッシャーが排紙処理をこの情報をもとに動作するためのものである。
【０１３３】
［付加パターン］
次に、図１９〜２３は、本実施例の付加パターンの一例を説明する図である。
【０１３４】
図１９において、２００ライン処理の場合領域１９０１に含まれる４×４画素は、その画像信号の階調が、例えば＋αとなるように変調され、また領域１９０２及び１９０３に含まれるそれぞれ２×４画素は、その画像信号の階調が、例えば−αとなるように変調され、領域１９０１〜１９０３以外の画素は変調しない。そして領域１９０１〜１９０３に含まれる８×４画素を付加パターンの単位ドットとする。４００ライン処理の場合には４×４画素処理を行う。また１００ライン処理の場合には２×２あるいは１画素を付加パターンとする。
【０１３５】
以下処理方法は同様であるので８×４画素を例にして説明を行う。
【０１３６】
図２０及び図２１は、本実施例のアドオンラインの一例を示す図である。
【０１３７】
図２０において、２００１はアドオンラインで、例えば４画素の幅である。２００１ａ〜２００１ｅはそれぞれ図１９に示した単位ドットで、例えば８×４画素である。単位ドット２００１ａ〜２００１ｅは、主走査方向にｄ１（例えば、１２８画素）のほぼ一定周期で並んでいる。
【０１３８】
更に、図２１において、２１０１〜２１１０はアドオンラインで、例えば４画素の幅であり、副走査方向にｄ２（例えば、１６画素）のほぼ一定周期で並んでいる。詳細は後述するが、例えば１本のアドオンラインは４ビットの情報を表し、アドオンライン２１０２〜２１０９の８本のアドオンラインは一組となって、３２ビットの付加情報を表すことができる。なお、アドオンラインは、副走査方向に繰り返し形成され、例えば図２１に示すアドオンライン２１０１及び２１０９は、同一の情報を順次繰り返して表している。
【０１３９】
図２２及び図２３はアドオンラインによる情報の表現方法の一例を示している。図２２において、２２０１及び２２０２はアドオンラインで、両アドオンラインは副走査方向に隣合っている。また、２２０１ａ，２２０１ｂ及び２２０２ａは単位ドットで、隣合ったアドオンラインの単位ドット同志が接近して目立つのを防ぐため、隣合ったアドオンライン単位ドット同志は、主走査方向へ少なくともｄ３（例えば、３２画素）の間隔が開くように設定する。
【０１４０】
単位ドットによって表されるデータは、単位ドット２２０２ａと、単位ドット２２０１ａとの位相差によって決定される。図２２は４ビット情報を表す一例を示しているが、図２２に示す例では、単位ドット２２０２ａはデータ“３”を表している。例えば、単位ドット２２０２ａが最左端にあればデータ“０”を、また単位ドット２２０２ａが最右端にはればデータ“Ｆ”を表すことになる。
【０１４１】
図２３において、全付加情報を表す一組のアドオンラインのうち、（ａ）に示すラインは１番目のアドオンラインＬｉｎｅ０を、（ｂ）に示すラインは４番目のアドオンラインＬｉｎｅ３を表す。図２３に示すように、Ｌｉｎｅ０には、本来の単位ドット２３０１ａ〜２３０１ｄのすべての右側に、ｄ４（例えば、１６画素）の間隔でドット２３０２ａ〜２３０２ｄが追加され、Ｌｉｎｅ３には、本来の単位ドット２３０４ａ〜２３０４ｄのすべての右側に、ｄ５（例えば、３２画素）の間隔でドット２３０５ａ〜２３０５ｄが追加されている。これら追加ドットは、各アドオンラインが何番目のアドオンラインかを明確にするためのマーカである。なお、２本のアドオンラインにマーカを追加するのは、出力画像からでも、副走査方向の上下を確定することができるようにするためである。
【０１４２】
また、例えば付加するパターンは、例えばＭＦＰ１０４のようにフルカラーＭＦＰであるならば、人間の目がＹのトナーで描かれたパターンに対しては識別能力が低いことを利用して、Ｙの色情報のみで付加される。それによってプリントアウトした場合には付加情報がついていないようになっている。
【０１４３】
この情報を黒情報として付加すると可視画像としてアドオンされる。
【０１４４】
また、ＭＦＰ１０５のように白黒ＭＦＰであれば、人間の目にはわからない程度に、例えば２５６階調（８ｂｉｔ）の濃度信号ならば、その信号値に−８〜＋８程度の値をアドオン情報として加算して付加するようにする。
【０１４５】
更に、付加パターンの主走査方向のドット間隔と、副走査方向の全付加情報の繰り返し間隔とは、対象とする特定原稿において、ドットが確実に識別できるような薄くて均一な領域へ、確実に全情報が付加されるように定める必要がある。目安としては、対象とする特定原稿において、ドットが確実に識別できるような薄くて均一な領域の幅の２分の１以下のピッチで情報を付加すればよい。
【０１４６】
ユーザーの情報と排紙処理情報の両方の情報を付加する場合には交互に付加する、あるいは特定周期ごとに情報を入れ替えることなどが考えられる。またＹのアドオン情報と黒の濃度変換情報であれば混在することも可能なので同じ位置に付加することも可能である。
【０１４７】
これらの付加情報をプリントアウトしたものは、目視では識別できないが、本実施例装置で読み取った場合には十分に識別することが可能な情報である。しかしこれらの情報があるものを更にコピーするとこの情報は失われるためコピーした用紙を本実施例のフィニッシャーにセットしてもコマンドは有効にはならない。また、これらの付加情報を両面にプリントアウトすることで、裏面排紙、表面排紙のどちらの画像形成手段にも対応可能となる。
【０１４８】
［ＭＦＰ１０４，１０５におけるアドオン部２１２］
次にアドオンの付加方法について述べる。これは図２のアドオン部２１２に相当し、その回路としては、例えば、図２４で説明する。
【０１４９】
まず、ＰＤＬ部よりラスタライズされた画像信号２４０１が入力される。このとき、図１９〜２３にて前述したようなアドオン情報を予めＣＰＵ２４１０より書き込まれたアドオン情報ページメモリ２４０２からアドオンデータが画像信号２４０１に同期して出力される。すなわち、アドオン情報メモリ２４０２内部には図２５に示されるような情報形式で、例えば−１２７〜＋１２７のデータで最上位ビットを符号ビットとする８ｂｉｔのデータ形式でアドオンデータとして格納されており、＋４の部分及び、−４の部分は図１９の１９０１〜１９０３の部分に相当する。
【０１５０】
再び図２４に戻って、同期して読み出された画像信号２４０１とアドオン情報ページメモリ２４０２のアドオンデータは、加算器２４０３または、減算器２４０４に入力され、ＦＦＨ以上に飽和した場合あるいは、００Ｈ以下になった場合の対策として、キャリア信号とＯＲゲート２４０５または、ＡＮＤゲート２４０６を通ってセレクタ２４０７に入る。セレクタのセレクト信号２４０８は、アドオン情報ページメモリの最上位ビット（符号ビット）で、図２５のようなアドオン情報の正負に応じて切り替えられ、コア部２０６に送られる。
【０１５１】
逆に、画像信号２４０１にすでにアドオンデータが付加された信号となっている場合に、それを解除するには、アドオン情報ページメモリ２４０２の最上位ビット（符号ビット）を反転させれば動作は逆転し、同じアドオンデータであれば、解除される仕組みとなっている。
【０１５２】
このアドオン付加回路はＹＭＣおよびＫの信号系に付加されている。
【０１５３】
それぞれのページメモリ２４０２に付加パターンを書くことでそれぞれのパターンを画像に付加することができる。
【０１５４】
ここでＹのページメモリにのみパターンを書けばＹのみでアドオンされる。
【０１５５】
また黒でアドオンする場合にはＫのページメモリに付加パターンを書くと黒でアドオンされることになる。
【０１５６】
次に印刷、排紙処理を行う場合の各装置の動作を図３０、図３３のフローチャートをもとに詳細に説明する。
【０１５７】
ここでは白黒とカラーの混載された原稿からコピーしたシート束にステイプル処理する動作を説明する。
【０１５８】
ステップＳ１０１でまず操作者はコンピュータ１０３の端末にて操作を行う。カラー白黒混在の原稿を周知のＤＴＰソフト等で作成する。
【０１５９】
ステップＳ１０１にて、印刷を行うとコンピュータ１０３のディスプレイには図１５に示すごとくプリンタドライバの画面が表示されステップＳ１０２が実行される。ステップＳ１０２の詳細を図３３に記し合わせて説明する。
【０１６０】
ここで１６０８ステイプルの指定を行う。
【０１６１】
またプリンタの指定を１６０２にて行う。もしフィニッシング機能などが不明の場合には詳細を知るためにキー１６０７を押下すると詳細な情報が表示される（図示せず）。
【０１６２】
原稿がカラー白黒混在なので白黒プリンタとカラープリンタを指定する必要がある。
【０１６３】
まずプリンタ選択カラム１６０２にて白黒ＭＦＰ１０５を選択するとステップＳ４０１において、第一のプリンタとしてＭＦＰ１０５を設定する。
【０１６４】
次に、キー１６０９を押下することで、さらなるプリンタ選択カラムが有効になり第二のプリンタあるいはフィニッシャーなどが選択可能となる。ステップＳ４０３において、キー１６０９がオン状態であり、第二のプリンタあるいはフィニッシャーなどの選択が可能であると判断した場合、ステップＳ４０５を実行する。
【０１６５】
図２６に示すように表示の優先方法として名前順が選択されている場合は、ステップＳ４０６を実行し１６０９の選択カラムが右クリックされたとき、選択可能なプリンタあるいはフィニッシャーを名称順に表示する。また表示の優先方法として、第一のプリンタとの距離が選択されている場合は、ステップＳ４０７を実行する。ステップＳ４０７では、使用可能なプリンタあるいはフィニッシャーのなかから、第一のプリンタとして選択されたプリンタ以外のプリンタあるいはフィニッシャーと、第一のプリンタとして選択されたプリンタとの距離を座標データから算出して、距離の近いプリント順を判断し、ステップＳ４０８において、１６０９の選択カラムが右クリックされたとき、選択可能なプリンタあるいはフィニッシャーを、第一のプリンタに近いプリント順に表示する。
【０１６６】
ステップＳ４０９において第二のプリンタとしてカラーＭＦＰ１０４を選択した場合、ステップＳ４１０において、第二のプリンタとしてＭＦＰ１０４を設定する。
【０１６７】
また、ステップＳ４０３において、キー１６０９がオフ状態であり、第二のプリンタあるいはフィニッシャーなどの選択が禁止であると判断した場合、ステップＳ４０４において、第二のプリンタの設定をクリアする。
【０１６８】
そしてステップＳ４０２においてプリント開始が指示される、すなわちＯＫキー１６０５を押下するとステップＳ１０３に進み、図２７に示すごとくＪＯＢ番号表示およびパスワード入力ウィンドウが表示される。ここでＪＯＢ番号はコンピュータ１０３が作り出した任意の番号に操作者がｌｏｇｉｎした文字列などが加えられたもので操作者および原稿を識別する情報となるものである。パスワードは後述の動作のために必要で例えば８文字以内のアルファベット及び数字の組み合わせを入力する。
【０１６９】
ステップＳ１０３でＯＫキーを押下するとコンピュータ１０３は印刷データの作成を行う（ステップＳ１０４）。この印刷データには従来のＰＤＬの描画データとともにステイプル処理、白黒／カラー混在処理、２台の連動、アドオン処理などのコマンドが付加される。
【０１７０】
なお排紙処理はカラム１６０２にて最初に選択されたＭＦＰが行う。あるいはカラム１６０９においてフィニッシャーが選択された場合には排紙処理はフィニッシャーを優先させる。
【０１７１】
そしてデータの作成が終わると指定された２台のＭＦＰにデータを転送する。
【０１７２】
ステップＳ１０５はＭＦＰ１０５の動作であって、データを転送されたＭＦＰ１０５は処理コマンドを解析し白黒ページのみを描画処理してメモリにいったんデータを蓄積しておく。その際にアドオンは行わない。
【０１７３】
ステップＳ１０６はＭＦＰ１０４の動作で、ＭＦＰ１０４もデータを解析しカラーページのみを描画しこちらはカラーにて処理コマンド、プリンタドライバで入力したＪＯＢ番号およびページ数などを黄色にてアドオンしてプリントを開始する。プリント終了すると終了通知をコンピュータ１０３に通知する。またプリントデータは図１のメモリ１０８に蓄積する。
【０１７４】
ステップＳ１０７ではコンピュータ１０３にカラープリントが終了したのでその排紙された用紙をＭＦＰ１０５のフィニッシャーにセットするよう表示する（図示せず）。またこの表示はＭＦＰの操作部にも表示されている。
【０１７５】
ステップＳ１０８では、操作者がＭＦＰ１０４の排紙部から用紙をとりＭＦＰ１０５のフィニッシャーのインサートトレイ１００３ａに用紙をセットする。フィニッシャーの操作部あるいはＭＦＰ１０５の操作部にてＪＯＢの番号を入力する。あるいはＪＯＢの一覧を表示させ、そのなかからＪＯＢを指定する。ＪＯＢ番号を直接入力して、その番号のＪＯＢが無い場合には警告表示を行う。また、まだ処理途中であればそのように警告表示を行う。
【０１７６】
ＪＯＢが指定されるとパスワードを入力する。これは図２７にて表示されたパスワードである。他人がかってに処理できないようになっている。パスワードが間違っている場合にも警告表示を行う。
【０１７７】
また、トレイに用紙をセットしフィニッシャーのスタートキー（図示せず）を押下した場合、フィニッシャーは用紙をトレイ１００３ｂに移動させながらセンサにてアドオン情報を読み込む。そのアドオン情報からＪＯＢ番号を読み込みパスワード入力待機状態となる。またセットすべき装置の順番が違っていた場合には操作部に警告表示を行う。
【０１７８】
パスワードも正常に入力されるとステップＳ１０９に進みＭＦＰ１０５はすでにメモリから描画処理の終了したデータを読み込み排紙処理を行う。この際にフィニッシャーのトレイ１００３にある用紙との順番を考慮しながら排紙を行う。例えばプリンタ１０５から１ページ目と２ページ目が出力され３ページ目がＭＦＰ１０４の１ページ目であった場合、アドオン情報のページ数は３となっており、ＭＦＰ１０５が２ページまで排紙するとフィニッシャーがトレイ１００３ｂから３ページ目にあたる用紙を給紙する。これは裏面排紙の場合で、表面排紙の場合は最終ページから排紙される。
【０１７９】
ステップＳ１１０、すべての用紙を排紙し、ステイプルやパンチなどフィニッシング処理もすべて終了するとコンピュータ１０３に対してＪＯＢの終了通知を行い、またメモリ１０８のデータを消去し動作が終了する。
【０１８０】
次にＭＦＰ１０６およびフィニッシャー１０９の動作を図３１、図３３をもとに詳細に説明する。
【０１８１】
ステップＳ２０１、まず操作者はコンピュータ１０３の端末にて操作を行う。カラー白黒混在の原稿を周知のＤＴＰソフト等で作成する。
【０１８２】
印刷の前に各装置の状態をチェックする。
【０１８３】
図１７に示すごとくユーティリティソフトには装置の状態が表示される。
【０１８４】
ステップＳ２０２、ここでＭＦＰ１０６を表示している状態でＭＦＰとフィニッシャーの接続を切り離すキーを押下する（図示せず）とＭＦＰ１０６はフィニッシャーのついていないＭＦＰとなる。また切り離しはＭＦＰ１０６あるいはフィニッシャー１０９の操作部でも設定可能である。
【０１８５】
ユーティリティソフトにはデバイスリストと呼ぶ、ネットワークに接続された装置の一覧を表示する機能があり、本体とフィニッシャーが切り離される前は図２８のようにＭＦＰが３台みえていたものが、接続を切り離すことによりフィニッシャー１０９が単独動作をはじめ、ＳＮＭＰをサポートするようになるため切り離される前は３台であった装置が図２９に示すごとくフィニッシャー１０９も見えるようになる。
【０１８６】
ステップＳ２０３にて、操作者は自分がプリントを行いたい装置のステータスを確認し、印刷を行うとコンピュータ１０３のディスプレイには図１５に示すごとくプリンタドライバの画面が表示されステップＳ２０４が実行される。ステップＳ２０４の詳細を図３３に記し合わせて説明する。
【０１８７】
まずプリンタ選択カラム１６０２にて白黒ＭＦＰ１０６を選択するとステップＳ４０１において、第一のプリンタとしてＭＦＰ１０６を設定する。
【０１８８】
次に、キー１６０９を押下することで、さらなるプリンタ選択カラムが有効になり第二のプリンタあるいはフィニッシャーなどが選択可能となる。ステップＳ４０３において、キー１６０９がオン状態であり、第二のプリンタあるいはフィニッシャーなどの選択が可能であると判断した場合、ステップＳ４０５を実行する。
【０１８９】
図２６に示すように表示の優先方法として名前順が選択されている場合は、ステップＳ４０６を実行し１６０９の選択カラムが右クリックされたとき、選択可能なプリンタあるいはフィニッシャーを名称順に表示する。また表示の優先方法として、第一のプリンタとの距離が選択されている場合は、ステップＳ４０７を実行する。ステップＳ４０７では、使用可能なプリンタあるいはフィニッシャーのなかから、第一のプリンタとして選択されたプリンタ以外のプリンタあるいはフィニッシャーと、第一のプリンタとして選択されたプリンタとの距離を座標データから算出して、距離の近いプリント順を判断し、ステップＳ４０８において、１６０９の選択カラムが右クリックされたとき、選択可能なプリンタあるいはフィニッシャーを、第一のプリンタに近いプリント順に表示する。
【０１９０】
ステップＳ４０９において第二のプリンタとしてカラーＭＦＰ１０４を選択した場合、ステップＳ４１０において、第二のプリンタとしてＭＦＰ１０４を設定する。
【０１９１】
また、ステップＳ４０３において、キー１６０９がオフ状態であり、第二のプリンタあるいはフィニッシャーなどの選択が禁止であると判断した場合、ステップＳ４０４において、第二のプリンタの設定をクリアする。
【０１９２】
そしてステップＳ４０２においてプリント開始が指示される、すなわちＯＫキー１６０５を押下するとステップＳ２０５に進み、図２７に示すごとくＪＯＢ番号表示およびパスワード入力ウィンドウが表示される。ここでＪＯＢ番号はコンピュータ１０３が作り出した任意の番号に操作者がｌｏｇｉｎした文字列などが加えられたもので操作者および原稿を識別する情報となるものである。パスワードは後述の動作のために必要で、例えば８文字以内のアルファベット及び数字の組み合わせを入力する。
【０１９３】
ステップＳ２０６、ＯＫキーを押下するとコンピュータ１０３は印刷データの作成を行う。この印刷データには従来のＰＤＬの描画データとともにステイプル処理、白黒／カラー混在処理、２台の連動、アドオン処理などのコマンドが付加される。なお排紙処理はカラム１６０２にて最初に選択されたＭＦＰが行う。あるいはフィニッシャーが選択された場合にはフィニッシャーを優先させる。
【０１９４】
そしてデータの作成が終わると指定された２台のＭＦＰおよびフィニッシャー１０９にデータを転送する。転送プロトコルは周知のＬＰＲ等で行われる。
【０１９５】
ステップＳ２０７、データを転送されたＭＦＰ１０６は処理コマンドを解析し白黒ページのみを描画処理し出力する。終了すると終了通知をコンピュータ１０３に通知する。
【０１９６】
またカラーＭＦＰ１０４もデータを解析しカラーページのみを描画しプリントを開始する。プリント終了すると終了通知をコンピュータ１０３に通知する。
【０１９７】
いずれの装置もＪＯＢ番号やページ数などがアドオンされている。
【０１９８】
ステップＳ２０８、コンピュータ１０３ではプリントが終了したので、その排紙された用紙をフィニッシャー１０９にセットするよう表示する（図示せず）。またこの表示は各装置の操作部にも表示されている。
【０１９９】
ステップＳ２０９では、操作者がＭＦＰ１０４、１０６の排紙部から用紙をとり、フィニッシャー１０９のインサートトレイ１００３ａ，ｃに用紙をセットする。フィニッシャーの操作部ＪＯＢの番号を入力する。あるいはＪＯＢの一覧を表示させ、そのなかからＪＯＢを指定する。ＪＯＢ番号を直接入力して、その番号のＪＯＢが無い場合には警告表示を行う。また、まだ処理途中であればそのように警告表示を行う。
【０２００】
ＪＯＢが指定されるとパスワードを入力する。これは図２７にて表示されたパスワードである。他人がかってに処理できないようになっている。パスワードが間違っている場合にも警告表示を行う。
【０２０１】
また、トレイに用紙をセットしフィニッシャーのスタートキー（図示せず）を押下した場合はフィニッシャーは用紙をトレイ１００３ｂ，ｄに移動させながらセンサにてアドオン情報を読み込む。そのアドオン情報からＪＯＢ番号を読み込みパスワード入力待機状態となる。またセットすべき装置の順番が違っていた場合には操作部に警告表示を行う。
【０２０２】
またフィニッシャーのアドオン情報のない用紙を扱う場合にはフィニッシャーの操作部にて各インサートトレイ上の用紙の処理を設定する事が可能である。
【０２０３】
ステップＳ２１０でパスワードも正常に入力されるとトレイｂ、ｄの用紙を指定された順番に給紙しフィニッシング処理を行う。
【０２０４】
ステップＳ２１１、すべての用紙を排紙し、ステイプルやパンチなどフィニッシング処理もすべて終了するとコンピュータ１０３に対してＪＯＢの終了通知を行う。
【０２０５】
フィニッシャー１０９は本体に再接続されると本体と一体型のＭＦＰとなり、図２８のようにデバイスリスト上からは見えなくなりすべての動作が終了する。
【０２０６】
次にサーバ１０２がＪＯＢを扱う場合の各装置の動作を図３２、図３３をもとに詳細に説明する。
【０２０７】
まずステップＳ３０１で操作者はコンピュータ１０３の端末にて操作を行う。カラー白黒混在の原稿を周知のＤＴＰソフト等で作成する。
【０２０８】
操作者は自分がプリントを行いたい装置のステータスを確認し、印刷を行うとコンピュータ１０３のディスプレイには図１５に示すごとくプリンタドライバの画面が表示されステップＳ３０２が実行される。ステップＳ３０２の詳細を図３３に記し合わせて説明する。
【０２０９】
まずプリンタ選択カラム１６０２にて白黒ＭＦＰ１０５を選択するとステップＳ４０１において、第一のプリンタとしてＭＦＰ１０５を設定する。
【０２１０】
次に、キー１６０９を押下することで、さらなるプリンタ選択カラムが有効になり第二のプリンタあるいはフィニッシャーなどが選択可能となる。ステップＳ４０３において、キー１６０９がオン状態であり、第二のプリンタあるいはフィニッシャーなどの選択が可能であると判断した場合、ステップＳ４０５を実行する。
【０２１１】
図２６に示すように表示の優先方法として名前順が選択されている場合は、ステップＳ４０６を実行し１６０９の選択カラムが右クリックされたとき、選択可能なプリンタあるいはフィニッシャーを名称順に表示する。また表示の優先方法として、第一のプリンタとの距離が選択されている場合は、ステップＳ４０７を実行する。ステップＳ４０７では、使用可能なプリンタあるいはフィニッシャーのなかから、第一のプリンタとして選択されたプリンタ以外のプリンタあるいはフィニッシャーと、第一のプリンタとして選択されたプリンタとの距離を座標データから算出して、距離の近いプリント順を判断し、ステップＳ４０８において、１６０９の選択カラムが右クリックされたとき、選択可能なプリンタあるいはフィニッシャーを、第一のプリンタに近いプリント順に表示する。
【０２１２】
ステップＳ４０９において第二のプリンタとしてカラーＭＦＰ１０４を選択した場合、ステップＳ４１０において、第二のプリンタとしてＭＦＰ１０４を設定する。
【０２１３】
更に１６０９の選択カラムによってフィニッシャー１０９を選択すると、ステップＳ４１０において、第二のプリンタとしてＭＦＰ１０４とフィニッシャー１０９も合わせて第二のプリンタとして設定される。
【０２１４】
１６０９の選択カラムによってフィニッシャー１０９を選択し、更に１６０８においてステイプルの指定を行う。
【０２１５】
フィニッシャーが指定されているためにＭＦＰ１０４などにフィニッシャーがあってもフィニッシャー１０９に対する設定を優先する。あるいはフィニッシャー１０９にない処理でかつＭＦＰ１０４のフィニッシャーで行える処理がある場合にはその設定も有効となる。
【０２１６】
また、ステップＳ４０３において、キー１６０９がオフ状態であり、第二のプリンタあるいはフィニッシャーなどの選択が禁止であると判断した場合、ステップＳ４０４において、第二のプリンタの設定をクリアする。
【０２１７】
そしてステップＳ４０２においてプリント開始が指示される、すなわちＯＫキー１６０５を押下するとステップＳ３０３に進み、図２７に示すごとくＪＯＢ番号表示およびパスワード入力ウィンドウが表示される。ここでＪＯＢ番号はコンピュータ１０３が作り出した任意の番号に操作者がｌｏｇｉｎした文字列などが加えられたもので操作者および原稿を識別する情報となるものである。パスワードは後述の動作のために必要で、例えば８文字以内のアルファベット及び数字の組み合わせを入力する。
【０２１８】
ステップＳ３０３に進み、ＯＫキー１６０５を押下すると図２７に示すごとくＪＯＢ番号表示およびパスワード入力ウィンドウが表示される。ここでＪＯＢ番号はコンピュータ１０３が作り出した任意の番号に操作者がｌｏｇｉｎした文字列などが加えられたもので操作者および原稿を識別する情報となるものである。パスワードは後述の動作のために必要で、例えば８文字以内のアルファベット及び数字の組み合わせを入力する。
【０２１９】
ステップＳ３０４、ＯＫキーを押下するとコンピュータ１０３は印刷データの作成を行う。この印刷データには従来のＰＤＬの描画データとともにステイプル処理、白黒／カラー混在処理、２台の連動、アドオン処理などのコマンドが付加される。なお排紙処理はカラム１６０２にて最初に選択されたＭＦＰが行う。あるいはカラム１６０９においてフィニッシャーが選択された場合には排紙処理はフィニッシャーを優先させる。データの作成が終わるとコンピュータ１０２に印刷データが転送される。
【０２２０】
ステップＳ３０５、データを転送されたコンピュータ１０２は処理コマンドを解析し白黒ページのみのデータを再構築しＭＦＰ１０５に印刷命令を出す。またカラーページのみのデータを再構築しＭＦＰ１０４に印刷命令を出す。
【０２２１】
ステップＳ３０６、各ＭＦＰは受信してデータをもとに印刷し、終了するとコンピュータ１０２に動作終了を通知する。
【０２２２】
ステップＳ３０７、コンピュータ１０２は終了通知をコンピュータ１０３に通知する。
【０２２３】
コンピュータ１０３ではプリントが終了したのでその排紙された用紙をフィニッシャー１０９にセットするよう表示する（図示せず）。
【０２２４】
操作者がＭＦＰ１０４，１０５の排紙部から用紙をとりフィニッシャー１０９のインサートトレイ１００３ａ，ｃに用紙をセットする。
【０２２５】
ステップＳ３０８、フィニッシャーの操作部にてコンピュータ１０２にｌｏｇｉｎし、ＪＯＢの一覧から自分のＪＯＢを選択実行すると、コンピュータ１０２はフィニッシャー１０９に対して動作指示を行う。この指示はトレイ１００３ａ、ｃに積まれた用紙の順番や処理指示が含まれている。ステップＳ３０９、フィニッシャー１０９はトレイ１００３ｂ、ｄの用紙を指定された順番に給紙しフィニッシング処理を行う。
【０２２６】
ステップＳ３１０、すべての用紙を排紙し、ステイプルやパンチなどフィニッシング処理もすべて終了するとコンピュータ１０２に対してＪＯＢの終了通知を行うとコンピュータ１０２は各装置の処理の集計を行い、メモリ１０８にデータを書き込み、またコンピュータ１０３にＪＯＢの終了を通知する。
【０２２７】
コンピュータ１０３では終了を表示し動作を終了する。
【０２２８】
【発明の効果】
以上説明したように本発明によれば複数の画像形成手段に分散して出力したプリントを１つのＪＯＢとして結合して出力することが容易にできる画像形成システム提供することができる。
【図面の簡単な説明】
【図１】本実施例のシステム全体を示す図
【図２】画像形成装置全体のブロック図
【図３】画像形成装置のスキャナ部の模式図
【図４】画像形成装置のＲＧＢ−ＩＰ部のブロック図
【図５】画像形成装置のＦＡＸ部のブロック図
【図６】画像形成装置のＮＩＣ／ＰＤＬ部のブロック図
【図７】画像形成装置のコア部／ＣＭＹＫ−ＩＰ部のブロック図
【図８】画像形成装置のＰＷＭ部のブロック図（図８−１，８−２ａ，８−２ｂ）
【図９】カラー画像形成装置のプリンタ部の模式図
【図１０】白黒画像形成装置のプリンタ部の模式図
【図１１】画像形成装置のディスプレイ部のブロック図
【図１２】画像形成装置のフィニッシャー部の模式図
【図１３】ネットワーク環境の模式図
【図１４】ネットワーク経由のデータ転送の模式図
【図１５】プリンタドライバの画面例を示す図
【図１６】ユーティリティソフトの画面例１を示す図
【図１７】ユーティリティソフトの画面例２を示す図
【図１８】アドオンの概念図
【図１９】アドオン情報の付加パターンを示す図
【図２０】アドオンラインを示す図
【図２１】アドオンライン群を示す図
【図２２】アドオン情報の表現方法を示す図
【図２３】アドオン情報の表現方法を示す図
【図２４】画像形成装置のアドオン部のブロック図
【図２５】アドオン情報メモリの内容を示す図
【図２６】プリンタ選択基準画面を示す図
【図２７】パスワードを入力する画面を示す図
【図２８】ユーティリティソフトの画面例３を示す図
【図２９】ユーティリティソフトの画面例４を示す図
【図３０】実施例のフローチャート１
【図３１】実施例のフローチャート２
【図３２】実施例のフローチャート３
【図３３】実施例のフローチャート４
【図３４】実施形態における画像形成装置の位置を示すための概念図
【符号の説明】
１０１  ネットワーク
１０２，１０３（１０３ａ，１０３ｂ）  コンピュータ
１０４  カラーＭＦＰ
１０５，１０６  白黒ＭＦＰ
１０７  単機能プリンタ
１０８  メモリ装置
１０９  フィニッシャー
２０１  スキャナ部
２０２  ＲＧＢ−ＩＰ部
２０３  ＦＡＸ部
２０４  ＮＩＣ（Ｎｅｔｗｏｒｋ  Ｉｎｔｅｒｆａｃｅ  Ｃａｒｄ）部分
２０５  ＰＤＬ部
２０６  コア部
２０７  ＣＭＹＫ−ＩＰ部
２０８  ＰＷＭ部
２０９  プリンタ部
２１０  フィニッシャー部
２１１  ディスプレイ部
２１２  アドオン部
３０１  原稿台ガラス
３０２  原稿
３０３  照明
３０４、３０５、３０６  ミラー
３０７  光学系
３０８  ＣＣＤ
３０９  モータ
３１０  第１ミラーユニット
３１１  第２ミラーユニット
【図１】
2004361706.tif 000003
【図２】
2004361706.tif 000004
【図３】
2004361706.tif 000005
【図４】
2004361706.tif 000006
【図５】
2004361706.tif 000007
【図６】
2004361706.tif 000008
【図７】
2004361706.tif 000009
【図８】
2004361706.tif 000010
【図９】
2004361706.tif 000011
【図１０】
2004361706.tif 000012
【図１１】
2004361706.tif 000013
【図１２】
2004361706.tif 000014
【図１３】
2004361706.tif 000015
【図１４】
2004361706.tif 000016
【図１５】
2004361706.tif 000017
【図１６】
2004361706.tif 000018
【図１７】
2004361706.tif 000019
【図１８】
2004361706.tif 000020
【図１９】
2004361706.tif 000021
【図２０】
2004361706.tif 000022
【図２１】
2004361706.tif 000023
【図２２】
2004361706.tif 000024
【図２３】
2004361706.tif 000025
【図２４】
2004361706.tif 000026
【図２５】
2004361706.tif 000027
【図２６】
2004361706.tif 000028
【図２７】
2004361706.tif 000029
【図２８】
2004361706.tif 000030
【図２９】
2004361706.tif 000031
【図３０】
2004361706.tif 000032
【図３１】
2004361706.tif 000033
【図３２】
2004361706.tif 000034
【図３３】
2004361706.tif 000035
【図３４】
2004361706.tif 000036